(57)【特許請求の範囲】
【請求項１】
ロール状物の芯管を嵌入させる帽筒部とその下端から外方に延設された鍔部とからなるハット型保持具と、前記帽筒部を嵌入させる円形固定孔を少なくとも１個備えた固定板とからなり、該固定板の前記円形固定孔の略中央部で水平方向に曲折可能であることを特徴とするロール状物の保持装置。
【請求項２】
ハット型保持具の鍔部のロール状物と接する側にクッション材を設けた請求項１記載のロール状物の保持装置。
【請求項３】
蓋体と容器本体からなり、前記容器本体の対向する側壁内側又は側壁内側と底部内側に固定板支持部を設けた容器であって、請求項１記載のハット型保持具と固定板とからなる保持装置を具備したことを特徴とする容器。
【請求項４】
容器本体に複数個の固定板支持部を設けた請求項３記載の容器。
【請求項５】
固定板支持部が凹溝からなる請求項３又は４記載の容器。
【請求項６】
固定板支持部が２条の突条部からなる請求項３又は４記載の容器。
【発明の詳細な説明】
【０００１】
【発明の属する技術分野】
本発明は、ロール状物を保持するための保持装置及び該装置を具備した容器に関し、更に詳しくは、１種の容器でサイズの異なる多種のロール状物を保持し、保管や運搬に供するための、ロール状物の保持装置及び該保持装置を備えてなる容器に関する。
【０００２】
【従来の技術】
従来、図８に示したように、芯管２５にドライレジスト等のフィルム２６を巻回してなるロール状物２７のサイズに合わせて段ボール箱２８を準備し、ロール状物２７より突き出た芯管２５の両側にプロテクター２９を当接して、ロール状物２７を箱の床面から浮かせた状態で収容し、保管や輸送に供されていた。
【０００３】
【発明が解決しようとする課題】
しかしながら、上記の如き構成では、ロール状物のサイズに合わせて多種類のダンボール箱を用意する必要があり、コストアップの要因になっていた。また、ダンボール箱の在庫が多くなり、また在庫管理や保管が面倒であるという問題を有していた
【０００４】
また、この場合、紙資源の節約の観点からは、プラスチックの箱（特に、折り畳みコンテナ）にシフトすることも考えられるが、多種類を用意せざるを得ないという前述の欠点に加え、更にコストアップにつながるという問題があった。
【０００５】
本発明は、１種類のサイズの箱で大小サイズの異なる多種類のロール状物の収容を可能とするための保持装置及び該装置を具備した容器を提供することを目的とする。
【０００６】
【課題を解決するための手段】
上記目的を達成するために、本発明の第１は、ロール状物の芯管を嵌入させる帽筒部とその下端から外方に延設された鍔部とからなるハット型保持具と、前記帽筒部を嵌入させる円形固定孔を少なくとも１個備えた固定板とからなり、該固定板の前記円形固定孔の略中央部で水平方向に曲折可能であることを特徴とするロール状物の保持装置を内容とするものである（請求項１）。
【０００７】
好ましい態様としての請求項２は、ハット型保持具の鍔部のロール状物と接する側にクッション材を設けた請求項１記載のロール状物の保持装置である。
【０００８】
更に、本発明の第２は、蓋体と容器本体からなり、前記容器本体の対向する側壁内面又は側壁内側と底部内側に固定板支持部を設けた容器であって、請求項１記載のハット型保持具と固定板とからなる保持装置を具備したことを特徴とする容器を内容とするものである（請求項４）。
【０００９】
好ましい態様としての請求項４は、容器本体に複数個の固定板支持部を設けた請求項３記載の容器である。
【００１０】
好ましい態様としての請求項５は、固定板支持部が凹溝からなる請求項３又は４記載の容器である。
【００１１】
好ましい態様としての請求項６は、固定板支持部が２条の突条部からなる請求項３又は４記載の容器である。
【００１２】
【作用】
本発明のハット型保持具と固定板とからなる保持装置によれば、ロール状物のサイズに拘らず種々のロール状物に適用でき、保持装置によりロール状物を保持したまま固定板を容器内に不動状態で収容することにより、１個の容器でサイズの異なる多種のロール状物を収容し、保管や輸送に供することができる。
【００１３】
また、ハット型保持具の帽筒部を嵌入させる円形固定孔を有する固定板が、その略中央部で水平方向に曲折可能とすることにより、ロール状物を容器内に収納する際、前記円形固定孔を有する固定板を半曲折状態にして、固定板の上半分を容器本体の上端面に載せ、下半分を容器本体の内側面に沿わせた状態にしておき、この下半分の固定板の円形固定孔に、ハット型保持具が装着されたロール状物を載せ、ロール状物の重みにより、そのまま容器本体の下方に徐々に落とし込めば、ロール状物を容易に容器本体に収納することができる。
【００１４】
また、ハット型保持具の鍔部のロール状物と接する側にクッション材を設けることにより、輸送時の振動や衝撃を緩和し、ロール状物の端面の損傷が防止される。
【００１５】
また、容器本体の対向する側壁内面又は側壁内側と底部内側に、複数個の固定板支持部を設けることにより、相対する固定板と固定板との寸法（距離）が自在に調節でき、１種類のサイズの箱で大小サイズの異なるロール状物の収容を可能にする。
【００１６】
【実施例】
以下、本発明の実施例を図面に基づいて説明するが、本発明は以下の実施例に限定されるものでない。
【００１７】
実施例１
本発明の実施例１におけるロール状物の保持装置を説明する。図１（ａ）、（ｂ）、（ｃ）、（ｄ）は円形固定孔の略中央部で水平方向に曲折可能にした形態の固定板を示している。
図１（ａ）、（ｂ）に示した固定板１０は、水平方向で表裏面のどちらか一面にはスキン層１３を介して残すようにしてスリット１４を設けた形態であり、このスキン層１３がヒンジとして機能し曲折を可能にしている。
図１（ｃ）は、円形固定孔１１の中央部で水平方向に分断されている上下の固定板を左右２枚のヒンジ１５で結合した形態の固定板１０である。また、図１（ｄ）は、図１（ｃ）のヒンジ１５に替え、上下の固定板をテープ１６等で連結した形態の固定板１０である。
【００１８】
また、図２（ａ）は、曲折可能な円形固定孔１１を上下方向に２個設けた形態、また、図２（ｂ）は、さらに水平方向にも円形固定孔１１を２個設けた形態である。なお、これら曲折タイプの固定板１０の用い方については後述の実施例で説明する。
【００１９】
実施例２
図３は、ハット型保持具４の鍔部６のロール状物１と接する側にクッション材１７を設けた形態であり、ロール状物１と鍔部６との間に異常な圧縮応力が作用したような場合には、このクッション材１７によって緩和される。従って、運搬時の振動や衝撃により、ロール状物１の側面が変形したり、キズがついたりするようなことが防止される。クッション材としては、ゴム、エラストマー、ポリウレタン等が用いられる。
【００２０】
実施例３
次に、ロール状物の保持装置を備えた容器の実施例について説明する。
図４（ａ）は、容器本体１８に収納されのロール状物１と該容器本体１８の蓋体１９との関係を分解して示した断面図であり、図４（ｂ）は容器２０内にロール状物１が収納されている状態を示した断面図である。
【００２１】
図４（ａ）において、容器本体１８の対向する側壁内側と底部内側には、図１で説明した円形固定孔１１を有し、水平方向に曲折可能な固定板１０を支持するための側壁固定板支持部２１と底部固定板支持部２２が、容器本体１８の左右両側にそれぞれ断続的に設けられている。
【００２２】
そして、固定板１０のスキン層１３からなるヒンジ部により曲折する下方部分１０Ｂは、容器本体１８の左右の前後方向に設けられた側壁固定板支持部２１と側壁内面の間隙に嵌入され、一方、固定板１０の曲折する上方部分１０Ａは、曲折する部分が容器本体１８の上部内側角部に位置するように、且つ外側に曲折して配設される。このような状態の固定板１０の上方から、ハット型保持具４が装着されたロール状物１を、固定板１０の曲折する下方部分１０Ｂの半円部分に載せ、ロール状物１の自重により固定板１０が徐々に下方に移動するようにすれば、それまで外側に曲折していた固定板１０の上方の半円部分１０Ａが垂直方向に起立して帽筒部５に外嵌する。この状態で容器本体１８の底部に到達すると、固定板１０の下方部分１０Ｂの底部は、底部固定板支持部２２と容器本体１８の側壁内面との間隙に挟着固定される。しかる後、蓋体１９が容器本体１８に装着され一連の作業が終了する（図４（ｂ））に示す。
【００２３】
なお、ロール状物１が大きくなると固定板１０に掛かる重量が大きくなり、固定板１０を手で支えることが困難になるが、そのような場合には、図１に示すように、固定板１０に設けた吊り下げ用孔９を利用して、左右の固定板１０の上方部分１０Ａを、斜め上方に引っ張り力Ｆ等の外力を加えながらロール状物１を容器２０の底部に降ろしてもよい〔図４（ａ）〕。勿論、固定板１０の上方部に、手で容易に持つことができるように把持部や把手部を設けてもよい。
【００２４】
尚、容器本体１８と蓋体１９との嵌合形式としては、図５（ａ）に示した外嵌型の他に、図５（ｂ）に示した内嵌型、段ボール箱や図５（ｃ）に示したような折りたたみ型等のいずれでもよく、また取り扱いや運搬を容易とするために、容器本体を折畳可能としてもよい。
【００２５】
実施例４
次に、本発明の実施例４として容器本体に複数個の固定板支持部を設けた形態について説明する。
図６（ａ）、（ｂ）は、いずれも容器本体から蓋体を取り外し、容器本体にロール状物が収納されている状態を示す平面図である。
【００２６】
図６（ａ）は、容器本体１８の左側の上下の側壁内面に固定板支持部としての凹溝２３が設けられ、更にこの凹溝２３を寸法の基準点として、容器本体１８の右側方向の異なる位置に、同じ大きさの凹溝２３Ａ、２３Ｂ、２３Ｃが設けられている。
【００２７】
図６（ａ）に示すように、Ｘ１の間隔を有して設けられている凹溝２３と凹溝２３Ａとのそれぞれに、Ｕ字状固定溝８を有する２枚の固定板１０が嵌入され、続いて、この固定板１０のＵ字状固定溝８には、ハット型保持具４を介してＸ１に対応した長さの２本のロール状物１が装着される。ロール状物１の長さ寸法の異なるＸ２やＸ３に対応したロール状物１を収納する際は、右側の固定板１０を凹溝２３Ｂや２３Ｃに移動して嵌入すればよい。また、凹溝２３Ｂと２３Ｃを利用して、右側には短か目のロール状物を、左側には長目のロール状物を同時に収容することもできる。
【００２８】
このように、容器本体１８の対向する側壁内面に、複数個の固定板支持部（凹溝）を設けたことにより、１種類のサイズの容器で、大小サイズの異なる複数のロール状物を収納することが可能（図６（ａ）の４対の凹溝を設けた形態では３種類以上の異なるサイズのロール状物を収納することが可能）になる。従って、ロール状物のサイズに合わせて、多種類の容器（例えばダンボール箱等）を用意する必要が無くなるので、コストを大巾に低減することが可能となるとともにその管理・保管が容易になる。
【００２９】
図６（ｂ）の形態は、容器本体１８の中央を基準点にして左右対称に振り分けて凹溝２３を設けたものである。この形態では前述の効果に加えて、主として利用される長さ寸法Ｙ１、Ｙ２、Ｙ３に対応するサイズのロール状物１は、それぞれに大きさや重量が異なっていても、容器に収納されたときの重心の位置は全て容器の中央部になるので、容器のバランスがよく、取り扱いが容易であるという利点がをる。
【００３０】
実施例５
前述の実施例４では固定板支持部は、容器本体の側壁に凹溝を設けた形態として説明したが、これ以外の形態として図７に示したように、固定板支持部として、２条の突条部２４で形成してもよい。２条の突条部は固定板支持部として機能するとともに、補強部としても機能し、側壁や底部の厚みを薄くすることができる。この２条の突条部は容器本体の成形時に設けてもよいが、既製の容器本体１８の側壁又は側壁と底部内面に、突条部２４を接着剤等で張り付ける等、後加工で容易に形成することが可能である。尚、突条部は連続したものでも、断続したものでも差し支えない。
【００３１】
【発明の効果】
叙上のように、本発明のハット型保持具と固定板とからなる保持装置によれば、ロール状物のサイズに拘らず種々のロール状物に適用でき、保持装置によりロール状物を保持したまま固定板を容器内に不動状態で収容することにより、１個の容器でサイズの異なる多種のロール状物を収容し、保管や輸送に供することができる。
【００３２】
また、ハット型保持具の帽筒部を嵌入させる円形固定孔を有する固定板が、その略中央部で水平方向に曲折可能とすることにより、ロール状物を容器内に収納する際、前記円形固定孔を有する固定板を半曲折状態にして、固定板の上半分を容器本体の上端面に載せ、下半分を容器本体の内側面に沿わせた状態にしておき、この下半分の固定板の円形固定孔に、ハット型保持具が装着されたロール状物を載せ、ロール状物の重みにより、そのまま容器本体の下方に徐々に落とし込めば、ロール状物を容易に容器本体に収納することができる。
【００３３】
また、ハット型保持具の鍔部のロール状物と接する側に、クッション材を設けたことにより、ロール状物の端面が保護され、輸送時の振動や衝撃により端面が損傷することが防止される。
【００３４】
また、２条の突条部からなる固定板支持部は、既製の容器の側壁内面に、後加工により接着剤等で容易に形成することができるばかりでなく、補強部として機能し、側壁や底部の厚みを薄くすることができるというメリットがある。
【図面の簡単な説明】
【図１】  （ａ）  円形固定孔の中央部で曲折可能な固定板の正面図及び側断面図である。
（ｂ）  同固定板の曲折状態を示した側断面図である。
（ｃ）  曲折させる手段にヒンジを利用した形態の固定板の正面及び側断面図である。
（ｄ）  曲折させる手段にテープを利用した形態の固定板の側断面図である。
【図２】  （ａ）  図１（ａ）における円形固定孔を上下方向に複数段設けた形態の固定板の正面図である。
（ｂ）  図１（ａ）における円形固定孔を水平方向に複数列、上下方向に複数段設けた形態の固定板の正面図である。
【図３】  ハット型保持具の鍔部にクッション材を設けた形態を示す側断面図である。
【図４】  （ａ）  ロール状物の保持装置を備えた容器の分解断面図である。
（ｂ）  保持装置に保持されたロール状物が容器内に収納された状態を示す断面図である。
【図５】  （ａ）  容器の蓋体が外嵌型である形態を示す断面図である。
（ｂ）  容器の蓋体が内嵌型である形態を示す断面図である。
（ｃ）  容器の蓋体が折りたたみ型である形態を示す断面図である。
【図６】  （ａ）  容器本体に複数個の固定板支持部（凹溝）を設けた形態の上面図である。
（ｂ）  容器本体に複数個の固定板支持部（凹溝）を設けた他の形態の上面図である。
【図７】  容器本体に複数個の固定板支持部（２条の突条部）を設けた形態の上面図である。
【図８】  従来のロール状物を容器内に収容した状態を示す概略図である。
【符号の説明】
１  ロール状物
２  芯管
４  ハット型保持具
５  帽筒部
６  鍔部
９  吊り下げ用孔
１０  固定板
１１  円形固定孔
１３  スキン層（ヒンジ部）
１４  スリット
１５  ヒンジ
１６  テープ
１７  クッション材
１８  容器本体
１９  蓋体
２０  容器
２１  側壁固定板支持部
２２  底部固定板支持部
２３  固定板支持部（凹溝）
２４  固定板支持部（２条の突状部）
【図１】
0004629923.tif 000002
【図２】
0004629923.tif 000003
【図３】
0004629923.tif 000004
【図４】
0004629923.tif 000005
【図５】
0004629923.tif 000006
【図６】
0004629923.tif 000007
【図７】
0004629923.tif 000008
【図８】
0004629923.tif 000009